【手続補正書】
【提出日】平成30年5月21日(2018.5.21)
【手続補正１】
【補正対象書類名】特許請求の範囲
【補正対象項目名】全文
【補正方法】変更
【補正の内容】
【特許請求の範囲】
【請求項１】
第１の数の画像配置領域を有し、それぞれレイアウトが異なる複数のテンプレートからなる第１のテンプレート群と、第２の数の画像配置領域を有し、それぞれレイアウトが異なる複数のテンプレートからなる第２のテンプレート群を少なくとも取得する第１の取得手段と、
前記第１の数の画像データと前記第１のテンプレート群に含まれるテンプレートとに基づいて作成される複数のレイアウト候補情報からなる第１のレイアウト候補情報群と、前記第２の数の画像データと前記第２のテンプレート群に含まれるテンプレートとに基づいて作成される複数のレイアウト候補情報からなる第２のレイアウト候補情報群を少なくとも取得する第２の取得手段と、
前記第１のレイアウト候補情報群と前記第２のレイアウト候補情報群を少なくとも含む複数のレイアウト候補情報を評価する評価手段と、
前記評価手段による評価に基づいて、前記評価手段によって評価された前記複数のレイアウト候補情報のうちいずれかのレイアウト候補情報に対応するテンプレートを選択する選択手段と、
前記選択手段が選択したテンプレートに基づくレイアウト結果を出力する出力手段と、を備えることを特徴とする情報処理装置。
【請求項２】
前記評価手段は、前記第１の数の画像データの特徴と前記第１のテンプレート群に含まれるテンプレートが有する前記画像配置領域との相関関係に基づき、前記第１のレイアウト候補情報群に含まれるレイアウト候補情報を評価し、前記第２の数の画像データの特徴と前記第２のテンプレート群に含まれるテンプレートが有する前記画像配置領域との相関関係に基づき、前記第２のレイアウト候補情報群に含まれるレイアウト候補情報を評価することを特徴とする請求項１に記載の情報処理装置。
【請求項３】
前記評価手段は、前記第１の画像群に含まれる画像データの特徴に基づく値と前記第１のテンプレート群に含まれるそれぞれのテンプレートが有する前記画像配置領域に設定された設定値の差に基づいて、前記第１のレイアウト候補情報群に含まれるそれぞれのレイアウト候補情報の評価を行い、前記第２の画像群に含まれる画像データの特徴に基づく値と前記第２のテンプレート群に含まれるそれぞれのテンプレートが有する前記画像配置領域に設定された設定値の差に基づいて、前記第２のレイアウト候補情報群に含まれるそれぞれのレイアウト候補の評価を行うことを特徴とする請求項１又は２に記載の情報処理装置。
【請求項４】
前記第１の画像群に含まれる画像データの特徴は、前記第１の画像群に含まれる画像データの撮影日時、前記第１の画像群に含まれる画像データの得点、前記第１の画像群に含まれる画像データの大きさのうち少なくとも１つであることを特徴とする請求項１乃至３のいずれか1項に記載の情報処理装置。
【請求項５】
前記第１の取得手段は、複数のカテゴリのうち所定のカテゴリに属する前記第１のテンプレート群と前記第２のテンプレート群を取得し、
前記所定のカテゴリは、前記出力手段が既に出力したレイアウト結果に対応するテンプレートが属するカテゴリと異なることを特徴とする請求項１乃至４のいずれか１項に記載の情報処理装置。
【請求項６】
前記複数のレイアウト候補情報の評価が閾値以下の場合、前記第１のテンプレート群が属するカテゴリと異なるカテゴリに属し、前記第１の数の画像配置領域を有し、それぞれレイアウトが異なる複数のテンプレートからなる第３のテンプレート群と、前記第２のテンプレート群が属するカテゴリと異なるカテゴリに属し、第２の数の画像配置領域を有し、それぞれレイアウトが異なる複数のテンプレートからなる第４のテンプレート群を少なくとも取得する第３の取得手段と、
前記複数のレイアウト候補情報の評価が閾値以下の場合、前記第１の数の画像データと前記第３のテンプレート群に含まれるテンプレートとに基づいて作成される複数のレイアウト候補情報からなる第３のレイアウト候補情報群と、前記第２の数の画像データと前記第４のテンプレート群に含まれるテンプレートとに基づいて作成される複数のレイアウト候補情報からなる第４のレイアウト候補情報群を少なくとも取得する第４の取得手段と、をさらに有し、
前記評価手段は、前記複数のレイアウト候補情報の評価が閾値以下の場合、さらに、前記第１のレイアウト候補情報群と前記第２のレイアウト候補情報群を含まず、前記第３のレイアウト候補情報群と前記第４のレイアウト候補情報群を少なくとも含む複数のレイアウト候補情報を評価し、
前記選択手段は、前記複数のレイアウト候補情報の評価が閾値以下の場合、前記評価手段による評価に基づいて、前記第１のレイアウト候補情報群と前記第２のレイアウト候補情報群を含まず、前記第３のレイアウト候補情報群と前記第４のレイアウト候補情報群を少なくとも含む複数のレイアウト候補情報のうちいずれかのレイアウト候補情報に対応するテンプレートを選択する、
ことを特徴とする請求項１乃至５のいずれか１項に記載の情報処理装置。
【請求項７】
前記第１のテンプレート群に含まれる各テンプレートと前記第２のテンプレート群に含まれる各テンプレートは、前記画像配置領域の形状、前記画像配置領域の大きさ、前記画像配置領域の位置のうち少なくとも１つが異なることを特徴とする請求項１乃至６のいずれか１項に記載の情報処理装置。
【請求項８】
前記出力手段は、前記情報処理装置が備える表示部に、前記レイアウト結果を表示することを特徴とする請求項１乃至７のいずれか１項に記載の情報処理装置。
【請求項９】
前記レイアウト結果に基づいて、アルバムが作成されることを特徴とする請求項１乃至８のいずれか１項に記載の情報処理装置。
【請求項１０】
情報処理装置において実行される制御方法であって、
第１の数の画像配置領域を有し、それぞれレイアウトが異なる複数のテンプレートからなる第１のテンプレート群と、第２の数の画像配置領域を有し、それぞれレイアウトが異なる複数のテンプレートからなる第２のテンプレート群を少なくとも取得する第１の取得ステップと、
前記第１の数の画像データと前記第１のテンプレート群に含まれるテンプレートとに基づいて作成される複数のレイアウト候補情報からなる第１のレイアウト候補情報群と、前記第２の数の画像データと前記第２のテンプレート群に含まれるテンプレートとに基づいて作成される複数のレイアウト候補情報からなる第２のレイアウト候補情報群を少なくとも取得する第２の取得ステップと、
前記第１のレイアウト候補情報群と前記第２のレイアウト候補情報群を少なくとも含む複数のレイアウト候補情報を評価する評価ステップと、
前記評価ステップによる評価に基づいて、前記評価ステップによって評価された前記複数のレイアウト候補情報のうちいずれかのレイアウト候補情報に対応するテンプレートを選択する選択ステップと、
前記選択されたテンプレートに基づくレイアウト結果を出力する出力ステップと、
有することを特徴とする制御方法。
【請求項１１】
前記評価ステップでは、前記第１の数の画像データの特徴と前記第１のテンプレート群に含まれるテンプレートが有する前記画像配置領域との相関関係に基づき、前記第１のレイアウト候補情報群に含まれるレイアウト候補情報が評価され、前記第２の数の画像データの特徴と前記第２のテンプレート群に含まれるテンプレートが有する前記画像配置領域との相関関係に基づき、前記第２のレイアウト候補情報群に含まれるレイアウト候補情報が評価されることを特徴とする請求項１０に記載の制御方法。
【請求項１２】
前記評価ステップでは、前記第１の画像群に含まれる画像データの特徴に基づく値と前記第１のテンプレート群に含まれるそれぞれのテンプレートが有する前記画像配置領域に設定された設定値の差に基づいて、前記第１のレイアウト候補情報群に含まれるそれぞれのレイアウト候補情報が評価され、前記第２の画像群に含まれる画像データの特徴に基づく値と前記第２のテンプレート群に含まれるそれぞれのテンプレートが有する前記画像配置領域に設定された設定値の差に基づいて、前記第２のレイアウト候補情報群に含まれるそれぞれのレイアウト候補が評価されることを特徴とする請求項１０又は１１に記載の制御方法。
【請求項１３】
前記第１の画像群に含まれる画像データの特徴は、前記第１の画像群に含まれる画像データの撮影日時、前記第１の画像群に含まれる画像データの得点、前記第１の画像群に含まれる画像データの大きさのうち少なくとも１つであることを特徴とする請求項１０乃至１２のいずれか１項に記載の制御方法。
【請求項１４】
前記第１の取得ステップでは、複数のカテゴリのうち所定のカテゴリに属する前記第１のテンプレート群と前記第２のテンプレート群が取得され、
前記所定のカテゴリは、前記出力ステップで既に出力したレイアウト結果に対応するテンプレートが属するカテゴリと異なることを特徴とする請求項１０乃至１３のいずれか１項に記載の制御方法。
【請求項１５】
前記複数のレイアウト候補情報の評価が閾値以下の場合、前記第１のテンプレート群が属するカテゴリと異なるカテゴリに属し、前記第１の数の画像配置領域を有し、それぞれレイアウトが異なる複数のテンプレートからなる第３のテンプレート群と、前記第２のテンプレート群が属するカテゴリと異なるカテゴリに属し、第２の数の画像配置領域を有し、それぞれレイアウトが異なる複数のテンプレートからなる第４のテンプレート群を少なくとも取得する第３の取得ステップと、
前記複数のレイアウト候補情報の評価が閾値以下の場合、前記第１の数の画像データと前記第３のテンプレート群に含まれるテンプレートとに基づいて作成される複数のレイアウト候補情報からなる第３のレイアウト候補情報群と、前記第２の数の画像データと前記第４のテンプレート群に含まれるテンプレートとに基づいて作成される複数のレイアウト候補情報からなる第４のレイアウト候補情報群を少なくとも取得する第４の取得ステップと、をさらに有し、
前記評価ステップでは、前記複数のレイアウト候補情報の評価が閾値以下の場合、さらに、前記第１のレイアウト候補情報群と前記第２のレイアウト候補情報群を含まず、前記第３のレイアウト候補情報群と前記第４のレイアウト候補情報群を少なくとも含む複数のレイアウト候補情報を評価し、
前記選択ステップでは、前記複数のレイアウト候補情報の評価が閾値以下の場合、前記評価ステップによる評価に基づいて、前記第１のレイアウト候補情報群と前記第２のレイアウト候補情報群を含まず、前記第３のレイアウト候補情報群と前記第４のレイアウト候補情報群を少なくとも含む複数のレイアウト候補情報のうちいずれかのレイアウト候補情報に対応するテンプレートを選択する、
ことを特徴とする請求項１０乃至１４のいずれか１項に記載の制御方法。
【請求項１６】
前記第１のテンプレート群に含まれる各テンプレートと前記第２のテンプレート群に含まれる各テンプレートは、前記画像配置領域の形状、前記画像配置領域の大きさ、前記画像配置領域の位置のうち少なくとも１つが異なることを特徴とする請求項１０乃至１５のいずれか１項に記載の制御方法。
【請求項１７】
前記出力ステップでは、前記情報処理装置が備える表示部に、前記レイアウト結果が表示されることを特徴とする請求項１０乃至１６のいずれか１項に記載の制御方法。
【請求項１８】
前記レイアウト結果に基づいて、アルバムが作成されることを特徴とする請求項１０乃至１７のいずれか１項に記載の制御方法。
【請求項１９】
情報処理装置としてのコンピュータに、
第１の数の画像配置領域を有し、それぞれレイアウトが異なる複数のテンプレートからなる第１のテンプレート群と、第２の数の画像配置領域を有し、それぞれレイアウトが異なる複数のテンプレートからなる第２のテンプレート群を少なくとも取得する第１の取得ステップと、
前記第１の数の画像データと前記第１のテンプレート群に含まれるテンプレートとに基づいて作成される複数のレイアウト候補情報からなる第１のレイアウト候補情報群と、前記第２の数の画像データと前記第２のテンプレート群に含まれるテンプレートとに基づいて作成される複数のレイアウト候補情報からなる第２のレイアウト候補情報群を少なくとも取得する第２の取得ステップと、
前記第１のレイアウト候補情報群と前記第２のレイアウト候補情報群を少なくとも含む複数のレイアウト候補情報を評価する評価ステップと、
前記評価ステップによる評価に基づいて、前記評価ステップによって評価された前記複数のレイアウト候補情報のうちいずれかのレイアウト候補情報に対応するテンプレートを選択する選択ステップと、
前記選択されたテンプレートに基づくレイアウト結果を出力する出力ステップとを、実行させることを特徴とするプログラム。
【請求項２０】
前記評価ステップでは、前記第１の数の画像データの特徴と前記第１のテンプレート群に含まれるテンプレートが有する前記画像配置領域との相関関係に基づき、前記第１のレイアウト候補情報群に含まれるレイアウト候補情報が評価され、前記第２の数の画像データの特徴と前記第２のテンプレート群に含まれるテンプレートが有する前記画像配置領域との相関関係に基づき、前記第２のレイアウト候補情報群に含まれるレイアウト候補情報が評価されることを特徴とする請求項１９に記載のプログラム。
【請求項２１】
前記評価ステップでは、前記第１の画像群に含まれる画像データの特徴に基づく値と前記第１のテンプレート群に含まれるそれぞれのテンプレートが有する前記画像配置領域に設定された設定値の差に基づいて、前記第１のレイアウト候補情報群に含まれるそれぞれのレイアウト候補情報が評価され、前記第２の画像群に含まれる画像データの特徴に基づく値と前記第２のテンプレート群に含まれるそれぞれのテンプレートが有する前記画像配置領域に設定された設定値の差に基づいて、前記第２のレイアウト候補情報群に含まれるそれぞれのレイアウト候補が評価されることを特徴とする請求項１９又は２０に記載のプログラム。
【請求項２２】
前記第１の画像群に含まれる画像データの特徴は、前記第１の画像群に含まれる画像データの撮影日時、前記第１の画像群に含まれる画像データの得点、前記第１の画像群に含まれる画像データの大きさのうち少なくとも１つであることを特徴とする請求項１９乃至２１のいずれか１項に記載のプログラム。
【請求項２３】
前記第２の取得ステップでは、複数のカテゴリのうち所定のカテゴリに属す前記第１のテンプレート群と前記第２のテンプレート群が取得され、
前記所定のカテゴリは、前記出力ステップで既に出力したレイアウト結果に対応するテンプレートが属するカテゴリと異なることを特徴とする請求項１９乃至２２のいずれか１項に記載のプログラム。
【請求項２４】
前記複数のレイアウト候補情報の評価が閾値以下の場合、前記第１のテンプレート群が属するカテゴリと異なるカテゴリに属し、前記第１の数の画像配置領域を有し、それぞれレイアウトが異なる複数のテンプレートからなる第３のテンプレート群と、前記第２のテンプレート群が属するカテゴリと異なるカテゴリに属し、第２の数の画像配置領域を有し、それぞれレイアウトが異なる複数のテンプレートからなる第４のテンプレート群を少なくとも取得する第３の取得ステップと、
前記複数のレイアウト候補情報の評価が閾値以下の場合、前記第１の数の画像データと前記第３のテンプレート群に含まれるテンプレートとに基づいて作成される複数のレイアウト候補情報からなる第３のレイアウト候補情報群と、前記第２の数の画像データと前記第４のテンプレート群に含まれるテンプレートとに基づいて作成される複数のレイアウト候補情報からなる第４のレイアウト候補情報群を少なくとも取得する第４の取得ステップと、をさらに有し、
前記評価ステップでは、前記複数のレイアウト候補情報の評価が閾値以下の場合、さらに、前記第１のレイアウト候補情報群と前記第２のレイアウト候補情報群を含まず、前記第３のレイアウト候補情報群と前記第４のレイアウト候補情報群を少なくとも含む複数のレイアウト候補情報を評価し、
前記選択ステップでは、前記複数のレイアウト候補情報の評価が閾値以下の場合、前記評価ステップによる評価に基づいて、前記第１のレイアウト候補情報群と前記第２のレイアウト候補情報群を含まず、前記第３のレイアウト候補情報群と前記第４のレイアウト候補情報群を少なくとも含む複数のレイアウト候補情報のうちいずれかのレイアウト候補情報に対応するテンプレートを選択する、
ことを特徴とする請求項１９乃至２３のいずれか１項に記載のプログラム。
【請求項２５】
前記第１のテンプレート群に含まれる各テンプレートと前記第２のテンプレート群に含まれる各テンプレートは、前記画像配置領域の形状、前記画像配置領域の大きさ、前記画像配置領域の位置のうち少なくとも１つが異なることを特徴とする請求項１９乃至２４のいずれか１項に記載のプログラム。
【請求項２６】
前記出力ステップでは、前記情報処理装置が備える表示部に、前記レイアウト結果が表示されることを特徴とする請求項１９乃至２５のいずれか１項に記載のプログラム。
【請求項２７】
前記レイアウト結果に基づいて、アルバムが作成されることを特徴とする請求項１９乃至２６のいずれか１項に記載のプログラム。
【手続補正２】
【補正対象書類名】明細書
【補正対象項目名】０００６
【補正方法】変更
【補正の内容】
【０００６】
上記課題を解決するため、本発明に係る情報処理装置は、第１の数の画像配置領域を有し、それぞれレイアウトが異なる複数のテンプレートからなる第１のテンプレート群と、第２の数の画像配置領域を有し、それぞれレイアウトが異なる複数のテンプレートからなる第２のテンプレート群を少なくとも取得する第１の取得手段と、前記第１の数の画像データと前記第１のテンプレート群に含まれるテンプレートとに基づいて作成される複数のレイアウト候補情報からなる第１のレイアウト候補情報群と、前記第２の数の画像データと前記第２のテンプレート群に含まれるテンプレートとに基づいて作成される複数のレイアウト候補情報からなる第２のレイアウト候補情報群を少なくとも取得する第２の取得手段と、前記第１のレイアウト候補情報群と前記第２のレイアウト候補情報群を少なくとも含む複数のレイアウト候補情報を評価する評価手段と、前記評価手段による評価に基づいて、前記評価手段によって評価された前記複数のレイアウト候補情報のうちいずれかのレイアウト候補情報に対応するテンプレートを選択する選択手段と、前記選択手段が選択したテンプレートに基づくレイアウト結果を出力する出力手段と、を備えることを特徴とする。